(57)【要約】【課題】装置構成を簡素化するとともに、装置を小型化し、フロートの浮遊位置の調整を容易に行うことが可能な浮遊物除去装置を提供する。【解決手段】この浮遊物除去装置１００は、液面に浮かぶ単一のフロート１と、フロート１の直下の離間した位置でフロート１に接続され、液面近傍の浮遊物を吸引する吸引力を発生させるポンプ本体４と、ポンプ本体４に接続され、液面近傍位置に配置される浮遊物吸入口３ａを有する吸入管３と、を備える。【選択図】図１
2019025407.tif 000002
【特許請求の範囲】
【請求項１】
液面に浮かぶ単一のフロートと、
前記フロートの直下の離間した位置で前記フロートに接続され、液面近傍の浮遊物を吸引する吸引力を発生させるポンプ本体と、
前記ポンプ本体に接続され、液面近傍位置に配置される浮遊物吸入口を有する吸入管と、を備える、浮遊物除去装置。
【請求項２】
前記浮遊物吸入口は、水平方向において、前記単一のフロートの外周面の外側に配置されている、請求項１に記載の浮遊物除去装置。
【請求項３】
前記浮遊物吸入口は、平面視において、前記フロートに重ならないように前記フロートから離間しており、前記フロートよりも小さく形成されている、請求項２に記載の浮遊物除去装置。
【請求項４】
前記吸入管は、前記ポンプ本体の前記フロート側の面に設けられるポンプ吸入口に接続され、
前記ポンプ吸入口は、前記フロートの中心および前記ポンプ本体を上下方向に通過する軸線上に設けられている、請求項１〜３のいずれか１項に記載の浮遊物除去装置。
【請求項５】
略直線状に上下方向に延びるとともに、前記フロートと前記ポンプ本体とを接続する接続部をさらに備える、請求項４に記載の浮遊物除去装置。
【請求項６】
前記吸入管は、前記ポンプ吸入口近傍で前記接続部と一体的に設けられている、請求項５に記載の浮遊物除去装置。
【請求項７】
前記単一のフロートは、前記フロートの略中央部に上下方向に延びるように設けられ、前記浮遊物吸入口に対する前記フロートの高さ位置を調整する液面レベル調整部を含む、請求項１〜６のいずれか１項に記載の浮遊物除去装置。
【請求項８】
前記浮遊物吸入口は、前記フロートの周囲に前記フロートから水平方向に離間して１つ設けられている、請求項１〜７のいずれか１項に記載の浮遊物除去装置。
【請求項９】
前記浮遊物吸入口は、前記フロートの周囲に前記フロートから水平方向に離間して複数設けられ、
複数の前記浮遊物吸入口は、平面視において、前記フロートの周方向において略等角度間隔で配置されている、請求項１〜７のいずれか１項に記載の浮遊物除去装置。
【請求項１０】
前記浮遊物吸入口は、前記フロートの周囲に前記フロートから水平方向に離間して複数設けられ、
複数の前記浮遊物吸入口は、それぞれ、前記フロートの中心から略等距離だけ離間して配置されている、請求項１〜７および９のいずれか１項に記載の浮遊物除去装置。
【請求項１１】
前記ポンプ本体のポンプ吐出口は、前記ポンプ本体の側方を向くように設けられている、請求項１〜１０のいずれか１項に記載の浮遊物除去装置。
【発明の詳細な説明】
【技術分野】
【０００１】
この発明は、液面に浮かぶフロートを備える浮遊物除去装置に関する。
【背景技術】
【０００２】
従来、液面に浮かぶフロートを備える浮遊物除去装置が知られている（たとえば、特許文献１参照）。
【０００３】
上記特許文献１には、液面に浮かぶ複数のフロートと、フロートに接続され、液面近傍位置に配置される流入口（浮遊物吸入口）を有する回収パイプ（吸入管）とを備える浮遊物除去装置が開示されている。フロートは、回収パイプの周囲を囲むように複数設けられている。
【先行技術文献】
【特許文献】
【０００４】
【特許文献１】特開平１１−９０４２６号公報
【発明の概要】
【発明が解決しようとする課題】
【０００５】
しかしながら、上記特許文献１の浮遊物除去装置は、複数のフロートを備えているので、装置構成が複雑化するという問題点がある。また、複数のフロートを備えていることから、装置が大型化し、各フロートの浮遊位置の調整に手間がかかるという問題点もある。
【０００６】
この発明は、上記のような課題を解決するためになされたものであり、この発明の１つの目的は、装置構成を簡素化するとともに、装置を小型化し、フロートの浮遊位置の調整を容易に行うことが可能な浮遊物除去装置を提供することである。
【課題を解決するための手段】
【０００７】
この発明の一の局面による浮遊物除去装置は、液面に浮かぶ単一のフロートと、フロートの直下の離間した位置でフロートに接続され、液面近傍の浮遊物を吸引する吸引力を発生させるポンプ本体と、ポンプ本体に接続され、液面近傍位置に配置される浮遊物吸入口を有する吸入管と、を備える。ここで、浮遊物とは、液面上に浮遊する物質であり、汚泥の塊（スカム）や、落ち葉、藻、水と分離した油性物質、上澄み液などを含んでいる。
【０００８】
この発明の一の局面による浮遊物除去装置では、上記のように、単一のフロートと、フロートの直下の離間した位置でフロートに接続され、液面近傍の浮遊物を吸引する吸引力を発生させるポンプ本体と、ポンプ本体に接続され、液面近傍位置に配置される浮遊物吸入口を有する吸入管と、を設ける。これにより、浮遊物除去装置は、単一のフロートを備えるので、フロートが複数ある場合と比較して、装置構成を簡素化するとともに、装置を小型化し、フロートの位置調整も容易に行うことができる。また、フロートの直下の離間した位置に重量物である（装置全体の重心位置を定める）ポンプ本体が配置されるので、単一のフロートであっても、液面に浮遊させた状態で装置全体を安定させることができる。
【０００９】
上記一の局面による浮遊物除去装置において、好ましくは、浮遊物吸入口は、水平方向において、単一のフロートの外周面の外側に配置されている。このように構成すれば、水平方向において、浮遊物吸入口の周囲を取り囲むように複数のフロートが配置される場合と比較して、浮遊物吸入口に向けて流れる浮遊物の障害を少なくすることができる。すなわち、浮遊物吸入口の周方向において、浮遊物吸入口に向けて流れる浮遊物の経路を広く確保することができる。このため、浮遊物吸入口から多くの浮遊物を吸入して、効果的に浮遊物を除去することができる。
【００１０】
この場合、好ましくは、浮遊物吸入口は、平面視において、フロートに重ならないようにフロートから離間しており、フロートよりも小さく形成されている。このように構成すれば、浮遊物吸入口がフロートよりも大きい場合と比較して、装置をより小型化することができる。
【００１１】
上記一の局面による浮遊物除去装置において、好ましくは、吸入管は、ポンプ本体のフロート側の面に設けられるポンプ吸入口に接続され、ポンプ吸入口は、フロートの中心およびポンプ本体を上下方向に通過する軸線上に設けられている。このように構成すれば、遠心式の羽根車を用いる場合などには、ポンプ吸入口の下側（フロート側とは反対側）で、かつ、軸線上に羽根車を配置するとともに、羽根車の回転軸を軸線方向に延びるように配置することができるので、単一のフロートであっても、液面に浮遊させた状態で装置全体をより安定させることができる。
【００１２】
この場合、好ましくは、略直線状に上下方向に延びるとともに、フロートとポンプ本体とを接続する接続部をさらに備える。このように構成すれば、接続部が水平方向に湾曲する形状である場合と比較して、フロートの中心およびポンプ本体を上下方向に通過する軸線方向に延びるように、接続部を配置することができるので、単一のフロートであっても、液面に浮遊させた状態で装置全体を一層安定させることができる。
【００１３】
上記接続部を備える構成において、好ましくは、吸入管は、ポンプ吸入口近傍で接続部と一体的に設けられている。このように構成すれば、吸入管と接続部とを別体とするよりも装置構成を簡素化することができる。
【００１４】
上記一の局面による浮遊物除去装置において、好ましくは、単一のフロートは、フロートの略中央部に上下方向に延びるように設けられ、浮遊物吸入口に対するフロートの高さ位置を調整する液面レベル調整部を含む。このように構成すれば、複数のフロートを備え、フロートごとに液面レベルを調整する場合と比較して、液面レベルの調整作業を容易化することができる。また、吸入管側（液面下）に液面レベルを調整するための構成が設けられている場合と比較して、液面上に浮遊して露出するフロートに液面レベル調整部が設けられているので、この点からも、液面レベルの調整作業を容易化することができる。
【００１５】
上記一の局面による浮遊物除去装置において、好ましくは、浮遊物吸入口は、フロートの周囲にフロートから水平方向に離間して１つ設けられている。このように構成すれば、浮遊物吸入口が複数設けられる場合と比較して、装置構成をより簡素化するとともに、装置をより小型化することができる。
【００１６】
上記一の局面による浮遊物除去装置において、好ましくは、浮遊物吸入口は、フロートの周囲にフロートから水平方向に離間して複数設けられ、複数の浮遊物吸入口は、平面視において、フロートの周方向において略等角度間隔で配置されている。このように構成すれば、複数の浮遊物吸入口により、浮遊物除去装置の周囲のより広い角度範囲から浮遊物を引き寄せることができるので、効果的に浮遊物を除去することができる。
【００１７】
上記一の局面による浮遊物除去装置において、好ましくは、浮遊物吸入口は、フロートの周囲にフロートから水平方向に離間して複数設けられ、複数の浮遊物吸入口は、それぞれ、フロートの中心から略等距離だけ離間して配置されている。このように構成すれば、浮遊物吸入口が１つ設けられる場合と比較して、浮遊物除去装置を液面に浮かべた際のバランスを向上させることができる。
【００１８】
上記一の局面による浮遊物除去装置において、好ましくは、ポンプ本体のポンプ吐出口は、ポンプ本体の側方に向くように設けられている。このように構成すれば、ポンプ吐出口が上下方向を向く場合と比較して、一端がポンプ吐出口に接続され、他端が地上に設けられる浄化装置などに接続されるホースの接続（取り回し）を容易に行うことができる。
【発明の効果】
【００１９】
本発明によれば、上記のように、装置構成を簡素化するとともに、装置を小型化し、フロートの浮遊位置の調整を容易に行うことができる。
【図面の簡単な説明】
【００２０】
【図１】本発明の第１実施形態による浮遊物除去装置の全体構成を示した一部破断の側面図である。
【図２】本発明の第１実施形態による浮遊物除去装置の全体構成を示した平面図である。
【図３】本発明の第２実施形態による浮遊物除去装置の全体構成を示した平面図である。
【図４】本発明の第２実施形態による浮遊物除去装置の全体構成を示した一部破断の側面図である。
【図５】第１および第２実施形態の第１変形例による浮遊物除去装置の全体構成を示した一部破断の側面図である。
【図６】第１および第２実施形態の第１変形例による浮遊物除去装置の全体構成を示した平面図である。
【図７】第１および第２実施形態の第２変形例による浮遊物除去装置の全体構成を示した一部破断の側面図である。
【発明を実施するための形態】
【００２１】
以下、本発明を具体化した実施形態を図面に基づいて説明する。
【００２２】
［第１実施形態］
（浮遊物除去装置の構成）
図１および図２を参照して、本発明の第１実施形態による浮遊物除去装置１００の構成について説明する。
【００２３】
図１に示す浮遊物除去装置１００は、所定領域（たとえば、貯留槽や、ため池など）に貯められた液体（たとえば、水など）に浮いた状態で設置されるように構成されている。また、浮遊物除去装置１００は、液面近傍にある浮遊物を吸引することにより除去するように構成されている。
【００２４】
浮遊物除去装置１００は、液面レベル調整部１１を含む単一のフロート１と、接続部２と、浮遊物吸入口３ａを含む吸入管３と、ポンプ本体４とを備えている。なお、接続部２と吸入管３とは、ポンプ吸入口４ａ近傍で一体的に設けられている。
【００２５】
〈フロートの構成〉
図１に示すフロート１は、樹脂材料により形成されており、概して、中空の球形状を有している。また、フロート１は、液面に浮かぶように構成されている。また、フロート１は、浮遊物除去装置１００を浮遊させることが可能な所定の大きさ以上の浮力を発生させることが可能である。
【００２６】
フロート１は、水平方向において、フロート１の中心に配置され、フロート１を上下方向（Ｚ方向）に貫通する貫通穴１ａを有している。
【００２７】
液面レベル調整部１１は、軸部１２と、軸部１２に取り付けられる規制部１３とを有している。
【００２８】
軸部１２は、上下方向（Ｚ方向）に略直線状に延びる棒形状を有している。軸部１２の上下方向の大きさは、フロート１の上下方向の大きさよりも大きい。軸部１２は、フロート１の貫通穴１ａに通されている。軸部１２には、上下方向の略全域に渡り、外周面に雄ネジが形成されている。軸部１２の上端には、円環状の上端部１２ａが一体的に設けられている。なお、上端部１２ａは、たとえば、アイナットにより形成することができる。上端部１２ａは、浮遊物除去装置１００を係留して浮遊物除去装置１００の水平方向への移動を規制する際や、浮遊物除去装置１００を持ち上げて移動させる際などに、ロープなどが取り付けられて使用される。
【００２９】
規制部１３は、規制部１３を上下方向に貫通する図示しない貫通穴を有している。貫通穴の内側には、雌ネジが形成されている。規制部１３は、軸部１２に螺合により取り付けられている。なお、規制部１３は、たとえば、蝶ナットにより形成することができる。規制部１３は、軸部１２への螺合位置を変えることにより、軸部１２に対する上下方向の位置を調整可能に構成されている。
【００３０】
規制部１３は、フロート１よりも上側に設けられている。規制部１３は、水平方向において、フロート１の貫通穴１ａよりも大きく形成されている。規制部１３は、浮遊物除去装置１００が液面上に設置された状態で、浮力によって浮遊するフロート１が下方から当接するように構成されている。すなわち、規制部１３は、規制部１３および軸部１２に対するフロート１の上方への移動を規制するように構成されており、フロート１の上下方向の位置を定める部材である。
【００３１】
軸部１２の下端には、接続部２が固定的に設けられている。液面レベル調整部１１は、規制部１３の軸部１２への螺合位置を変更することによって、接続部２と一体的に設けられる吸入管３（浮遊物吸入口３ａ）に対するフロート１の高さ位置を調整可能に構成されている。
【００３２】
詳細には、液面レベル調整部１１は、規制部１３と軸部１２との螺合位置を変更することによって、軸部１２に対して規制部１３が上下方向に移動するように構成されている。軸部１２は、接続部２および吸入管３（浮遊物吸入口３ａ）に固定的に接続されている（取り付けられている）。フロート１は、液面に浮かべられた使用状態において、浮力により常に上面が規制部１３に接触している。
【００３３】
すなわち、接続部２および吸入管３は、軸部１２の上下方向への移動に追随するように構成されている。フロート１の上端は、浮力により、常に規制部１３に当接している。したがって、液面レベル調整部１１は、規制部１３と軸部１２との螺合位置を変更することによって、フロート１が浮遊している液面に対する吸入管３（浮遊物吸入口３ａ）の上下方向の位置を調整可能に構成されている。
【００３４】
〈接続部の構成〉
図１に示すように、接続部２は、上下方向に略直線状に延びる棒形状を有している。接続部２は、液面レベル調整部１１の軸部１２よりも太く形成されている。接続部２の上端には、液面レベル調整部１１の軸部１２が固定されており、接続部２の下端には、ポンプ本体４が設けられている（固定されている）。すなわち、接続部２は、液面レベル調整部１１（軸部１２）を介して、フロート１とポンプ本体４とを接続している。接続部２は、上下方向に延びるフロート１の中心軸線α上に配置されている。なお、中心軸線αは、特許請求の範囲の「軸線」の一例である。
【００３５】
〈吸入管の構成〉
図１に示すように、吸入管３は、例えば、樹脂材料により形成されている。吸入管３は、筒形状を有しており、浮遊物吸入口３ａから液面近傍にある浮遊物を吸入してポンプ本体４まで運ぶための管である。吸入管３は、ポンプ本体４に接続され液面近傍位置に配置される浮遊物吸入口３ａを有している。
【００３６】
以下、吸入管３の詳細な構成について説明する。吸入管３は、第１管部３１と、第２管部３２と、第３管部３３とから形成されている。
【００３７】
第１管部３１、第２管部３２、第３管部３３は、この順にポンプ本体４の近くに配置されている。第１管部３１、第２管部３２および第３管部３３の内側には、被処理物を通すための互いに連通する流路３ｂが設けられている。流路３ｂの下方側の端部には、ポンプ本体４のフロート１側の面４０に設けられるポンプ吸入口４ａが接続されている。流路３ｂの上方側の端部には、浮遊物吸入口３ａが設けられている。
【００３８】
第１管部３１は、略上下方向に延びている。第１管部３１は、液面レベル調整部１１とポンプ本体４との間に配置されている。第１管部３１は、上下方向に延びるフロート１の中心軸線α上に配置されている。第１管部３１の下端は、ポンプ本体４のポンプ吸入口４ａに上方から接続されている。第１管部３１は、接続部２のポンプ吸入口４ａ側の部分と一体的に設けられている。すなわち、第１管部３１は、接続部２の一部でもある。第１管部３１は、ポンプ吸入口４ａの近傍において、接続部２と吸入管３とに共通の部分であり、接続部２と吸入管３とを一体的に接続する部分である。
【００３９】
図２に示すように、第２管部３２の一端には、第１管部３１の上端が接続されている。第２管部３２は、平面視において、フロート１の半径方向に延びている。第２管部３２は、平面視において、フロート１とオーバーラップする第１管部３１側の部分と、フロート１よりもフロート１の半径方向外側に突出する部分とを有している。
【００４０】
図１に示すように、第２管部３２は、略水平方向に延びている。第２管部３２は、上下方向において、接続部２の上端と下端との間に配置されている。第２管部３２の他端には、第３管部３３の下端が接続されている。
【００４１】
第３管部３３は、略上下方向に延びている。第３管部３３は、水平方向において、フロート１の半径方向の外側に配置されている。第３管部３３の上端には、浮遊物吸入口３ａが設けられている。第３管部３３は、上端に円環形状の端面３３ａを有している。
【００４２】
浮遊物吸入口３ａは、フロート１の周囲にフロート１から水平方向に離間して１つ設けられている。浮遊物吸入口３ａは、水平方向において、フロート１の外周面１０の外側に配置されている。浮遊物吸入口３ａは、上方側が開かれた開口であり、液面下の液面近傍の位置に保持されている。詳細には、浮遊物除去装置１００は、液位が上下に変動したとしても、フロート１とともに吸入管３が上下に移動するため、浮遊物吸入口３ａを常に液面下の液面近傍位置に配置するように構成されている。
【００４３】
〈ポンプ本体の構成〉
図１に示すポンプ本体４は、例えば、主に樹脂材料とステンレス等の耐食性を有する金属材料とにより形成されており、ポンプとしては、比較的軽量のポンプである。ポンプ本体４は、液体中に配置された状態で駆動される水中ポンプである。ポンプ本体４は、液面近傍の浮遊物を浮遊物吸入口３ａから吸引する吸引力を発生させるように構成されている。ポンプ本体４は、フロート１直下のフロート１から離間した位置で、接続部２を介してフロート１に接続されている。ポンプ本体４は、ポンプ本体４の略全域において、フロート１と上下方向にオーバーラップしている。
【００４４】
ポンプ本体４は、遠心式の羽根車４１と、羽根車４１に回転軸４２ａを介して駆動力を付与するモータ４２とを備えている。回転軸４２ａは、上下方向に延びている。回転軸４２ａの上端近傍には、羽根車４１が取り付けられており、回転軸４２ａの下端近傍には、モータ４２が配置されている。回転軸４２ａは、上下方向に延びるフロート１の中心軸線α上に配置されている。
【００４５】
ポンプ本体４には、内側に羽根車４１が配置され、吸引した水（浮遊物）をポンプ吸入口４ａからポンプ吐出口４ｂに送るポンプ室４３が設けられている。ポンプ吸入口４ａは、フロート１の中心およびポンプ本体４を上下方向に通過する中心軸線α上に設けられている。すなわち、ポンプ吸入口４ａは、フロート１の中心の直下に設けられている。ポンプ吐出口４ｂは、ポンプ本体４の側方（Ｚ方向に略直交する方向）を向くように設けられている。
【００４６】
ポンプ吐出口４ｂには、側方からホースＨの一端が接続されている。ホースＨの他端は、たとえば、地上に設けられる浄化装置などに接続されている。浄化装置では、浮遊物の油水分離処理や、ろ過処理などが行われる。
【００４７】
ポンプ本体４は、フロート１、接続部２、吸入管３に比べて大きな重量を有している。また、ポンプ本体４は、フロート１の直下のフロート１から離間した位置で、かつ、装置全体で下端に設けられている。したがって、ポンプ本体４は、自重により、液面に浮遊するフロート１に対して、フロート１の直下に位置し続けようとする。すなわち、フロート１が液面に浮かべられた使用状態において、ポンプ本体４により、ポンプ本体４とフロート１との相互の位置が保持されて装置全体が安定する。
【００４８】
なお、ポンプ本体４とフロート１との間から吸入管３が側方に延びているが、上記の通り、ポンプ本体４の重量と比較して、吸入管３の重量は軽いため、ポンプ本体４とフロート１との相互の位置に吸入管３が影響することはほとんどない。すなわち、吸入管３がポンプ本体４とフロート１とに及ぼす回転モーメントは、無視できる程度に小さい。ポンプ本体４とフロート１との相互の位置が保持されることにより、吸入管３の浮遊物吸入口３ａが、液面近傍位置に配置される。これにより、浮遊物除去装置１００は、浮遊物を吸引により除去する機能を発揮することが可能となる。
【００４９】
（第１実施形態の効果）
第１実施形態では、以下のような効果を得ることができる。
【００５０】
第１実施形態では、上記のように、単一のフロート１と、フロート１の直下の離間した位置でフロート１に接続され、液面近傍の浮遊物を吸引する吸引力を発生させるポンプ本体４と、ポンプ本体４に接続され、液面近傍位置に配置される浮遊物吸入口３ａを有する吸入管３と、を設ける。これにより、浮遊物除去装置１００は、単一のフロート１を備えるので、フロート１が複数ある場合と比較して、装置構成を簡素化するとともに、装置を小型化し、フロートの位置調整も容易に行うことができる。また、フロート１の直下の離間した位置に重量物である（装置全体の重心位置を定める）ポンプ本体４が配置されるので、単一のフロート１であっても、液面に浮遊させた状態で装置全体を安定させることができる。
【００５１】
また、第１実施形態では、上記のように、浮遊物吸入口３ａを、水平方向において、単一のフロート１の外周面１０の外側に配置する。これにより、水平方向において、浮遊物吸入口３ａの周囲を取り囲むように複数のフロート１が配置される場合と比較して、浮遊物吸入口３ａに向けて流れる浮遊物の障害を少なくすることができる。すなわち、浮遊物吸入口３ａの周方向において、浮遊物吸入口３ａに向けて流れる浮遊物の経路を広く確保することができる。このため、浮遊物吸入口３ａから多くの浮遊物を吸入して、効果的に浮遊物を除去することができる。
【００５２】
また、第１実施形態では、上記のように、浮遊物吸入口３ａを、平面視において、フロート１に重ならないようにフロート１から離間しており、フロート１よりも小さく形成する。これにより、浮遊物吸入口３ａがフロート１よりも大きい場合と比較して、装置をより小型化することができる。
【００５３】
また、第１実施形態では、上記のように、吸入管３を、ポンプ本体４のフロート１側の面４０に設けられるポンプ吸入口４ａに接続し、ポンプ吸入口４ａを、フロート１の中心およびポンプ本体４を上下方向に通過する中心軸線α上に設ける。これにより、遠心式の羽根車４１を用いる場合などには、ポンプ吸入口４ａの下側（フロート１側とは反対側）で、かつ、中心軸線α上に羽根車４１を配置するとともに、羽根車４１の回転軸４２ａを中心軸線方向に延びるように配置することができるので、単一のフロート１であっても、液面に浮遊させた状態で装置全体をより安定させることができる。
【００５４】
また、第１実施形態では、上記のように、略直線状に上下方向に延びるとともに、フロート１とポンプ本体４とを接続する接続部２を設ける。これにより、接続部２が水平方向に湾曲する形状である場合と比較して、フロート１の中心およびポンプ本体４を上下方向に通過する中心軸線方向に延びるように、接続部２を配置することができるので、フロート１とポンプ本体４との相互の位置を一層確実に保持することができる。このため、単一のフロート１であっても、浮遊物吸入口３ａを液面近傍位置に一層確実に配置することができる。単一のフロート１であっても、液面に浮遊させた状態で装置全体を一層安定させることができる。
【００５５】
また、第１実施形態では、上記のように、吸入管３を、ポンプ吸入口４ａ近傍で接続部２と一体的に設ける。これにより、吸入管３と接続部２とを別体とするよりも装置構成を簡素化することができる。
【００５６】
また、第１実施形態では、上記のように、単一のフロート１に、フロート１の略中央部に上下方向に延びるように設け、浮遊物吸入口３ａに対するフロート１の高さ位置を調整する液面レベル調整部１１を設ける。これにより、複数のフロート１を備え、フロート１ごとに液面レベルを調整する場合と比較して、液面レベルの調整作業を容易化することができる。また、吸入管３側（液面下）に液面レベルを調整するための構成が設けられている場合と比較して、液面上に浮遊して露出するフロート１に液面レベル調整部１１が設けられているので、この点からも、液面レベルの調整作業を容易化することができる。
【００５７】
また、第１実施形態では、上記のように、浮遊物吸入口３ａを、フロート１の周囲にフロート１から水平方向に離間して１つ設ける。これにより、浮遊物吸入口３ａが複数設けられる場合と比較して、装置構成をより簡素化するとともに、装置をより小型化することができる。
【００５８】
また、第１実施形態では、上記のように、ポンプ本体４のポンプ吐出口４ｂを、ポンプ本体４の側方を向くように設ける。これにより、ポンプ吐出口４ｂが上下方向を向く場合と比較して、一端がポンプ吐出口４ｂに接続され、他端が地上に設けられる浄化装置などに接続されるホースＨの接続（取り回し）を容易に行うことができる。
【００５９】
［第２実施形態］
次に、図３および図４を参照して、第２実施形態について説明する。この第２実施形態では、浮遊物除去装置１００の吸入管３が１つの浮遊物吸入口３ａを有する上記第１実施形態と異なり、浮遊物除去装置２００の吸入管２０３が３つの浮遊物吸入口３ａを有する例について説明する。なお、上記第１実施形態と同一の構成については、図中において同じ符号を付して図示し、その説明を省略する。
【００６０】
（浮遊物除去装置の構成）
本発明の第２実施形態による浮遊物除去装置２００は、図３に示すように、吸入管２０３を備えている。
【００６１】
吸入管２０３は、複数（３つ）の浮遊物吸入口３ａを有している。詳細には、吸入管２０３は、第１管部３１（図４参照）の上端から水平方向へ放射状に分岐して延びる複数（３つ）の第２管部３２と、各々の第２管部３２の外側の端部から上方に延びる第３管部３３とを有している。すなわち、第１実施形態では、吸入管３には、第２管部３２と第３管部３３とのセットが１組設けられていたが、第２実施形態では、吸入管２０３には、第２管部３２と第３管部３３とのセットが３組設けられている。
【００６２】
複数（３つ）の浮遊物吸入口３ａは、単一のフロート１の周囲に、フロート１から水平方向に離間して設けられている。複数（３つ）の浮遊物吸入口３ａは、平面視において、フロート１の周方向に略等角度間隔（略１２０度間隔）で配置されている。複数（３つ）の浮遊物吸入口３ａは、それぞれ、フロート１の中心（中心軸線α）から略等距離ｄ１だけ離間して配置されている。複数（３つ）の浮遊物吸入口３ａは、平面視において、フロート１の中心軸線αを中心（重心）とする正三角形の各頂点に位置している。フロート１（中心軸線α）の直下のフロート１から離間した位置には、ポンプ本体４が配置されている。
【００６３】
なお、第２実施形態のその他の構成は、上記第１実施形態と同様である。
【００６４】
（第２実施形態の効果）
第２実施形態では、以下のような効果を得ることができる。
【００６５】
第２実施形態では、上記のように、浮遊物吸入口３ａを、フロート１の周囲にフロート１から水平方向に離間して複数設け、複数の浮遊物吸入口３ａを、平面視において、フロート１の周方向において略等角度間隔で配置する。これにより、複数の浮遊物吸入口３ａにより、浮遊物除去装置２００の周囲のより広い角度範囲から浮遊物を引き寄せることができるので、効果的に浮遊物を除去することができる。
【００６６】
また、第２実施形態では、上記のように、浮遊物吸入口３ａを、フロート１の周囲にフロート１から水平方向に離間して複数設け、複数の浮遊物吸入口３ａを、それぞれ、フロート１の中心から略等距離だけ離間して配置する。これにより、浮遊物吸入口３ａが１つ設けられる場合と比較して、浮遊物除去装置２００を液面に浮かべた際のバランスを向上させることができる。
【００６７】
なお、第２実施形態のその他の効果は、上記第１実施形態と同様である。
【００６８】
［変形例］
なお、今回開示された実施形態（実施例）は、すべての点で例示であって制限的なものではないと考えられるべきである。本発明の範囲は、上記した実施形態（実施例）の説明ではなく特許請求の範囲によって示され、さらに特許請求の範囲と均等の意味および範囲内でのすべての変更（変形例）が含まれる。
【００６９】
たとえば、上記第１および第２実施形態では、フロートから離間させて浮遊物吸入口（吸入管）を配置した例を示したが、本発明はこれに限らない。本発明では、たとえば、図５および図６に示す第１変形例の浮遊物除去装置３００のように、浮遊物吸入口３０３ａ（吸入管３０３）をフロート１に接触させて配置してもよい。詳細には、浮遊物除去装置３００を以下のように構成してもよい。浮遊物除去装置３００には、下方に向かうにつれて小さく（細く）なる漏斗状の吸入管３０３が設けられている。フロート１は、吸入管３０３の内側で、かつ、上方に配置されている。吸入管３０３は、フロート１の半径方向に設けられる複数の浮遊物吸入口３０３ａを有している。浮遊物吸入口３０３ａは、フロート１の外周面１０に隣接している。
【００７０】
また、上記第１および第２実施形態では、ポンプ吐出口を側方に向くように構成した例を示したが、本発明はこれに限らない。本発明では、図７に示す第２変形例の浮遊物除去装置４００のように、ポンプ吐出口４０４ｂを下方に向くように構成してもよい。この場合、Ｌ字形状（一端開口および他端開口の向く方向が略直交する形状）の管部材（例えばストリートエルボ等）Ｅの一端をポンプ吐出口４０４ｂに接続して、管部材Ｅの他端にホースＨを側方から取り付けてもよい。
【００７１】
また、上記第１および第２実施形態では、平面視において、浮遊物吸入口をフロートよりも小さく形成した例を示したが、本発明はこれに限らない。本発明では、平面視において、浮遊物吸入口をフロートよりも大きく形成してもよい。
【００７２】
また、上記第１および第２実施形態では、液面下に浮遊物吸入口を配置した例を示したが、本発明はこれに限らない。本発明では、液面上に浮遊物吸入口の一部を配置するとともに、液面下に浮遊物吸入口の一部を配置してもよい。
【００７３】
また、上記第２実施形態では、平面視において、複数の浮遊物吸入口をフロートの周方向に略等角度間隔で配置した例を示したが、本発明はこれに限らない。本発明では、平面視において、複数の浮遊物吸入口をフロートの周方向に略等角度間隔で配置するのではなくてもよい。たとえば、平面視において、吸入管に２つの浮遊物吸入口を設け、２つの浮遊物吸入口をフロートの周方向に９０度間隔で配置してもよい。
【００７４】
また、上記第２実施形態では、複数の浮遊物吸入口を、それぞれ、フロートの中心から略等距離だけ離間させて配置した例を示したが、本発明はこれに限らない。本発明では、複数の浮遊物吸入口を、それぞれ、フロートの中心から互いに異なる距離だけ離間させて配置してもよい。
【００７５】
また、上記第１および第２実施形態では、吸入管の浮遊物吸入口側の一端において、吸入管とフロートとの間隔を、浮遊物吸入口の直径よりも小さくした例を示したが、本発明はこれに限らない。本発明では、吸入管の浮遊物吸入口側の一端において、吸入管とフロートとの間隔を、浮遊物吸入口の直径以上にしてもよい。
【００７６】
また、上記第１および第２実施形態では、ポンプ本体の回転軸を上下方向に延びるように配置した例を示したが、本発明はこれに限らない。本発明では、ポンプ本体の回転軸を水平方向または斜め方向に延びるように配置してもよい。
【００７７】
また、上記第１および第２実施形態では、フロートを球形状に形成した例を示したが、本発明はこれに限らない。本発明では、たとえば、フロートを円柱形状や角柱形状などの球形状以外の形状に形成してもよい。
【００７８】
また、上記第１および第２実施形態では、フロートを中空の形状に形成した例を示したが、本発明はこれに限らない。本発明では、たとえば、フロートを中実の形状に形成してもよい。
【００７９】
また、上記第１実施形態では、浮遊物吸入口を１つ設け、上記第２実施形態では、浮遊物吸入口を３つ設けた例を示したが、本発明はこれに限らない。本発明では、浮遊物吸入口を２つ、または、４つ以上設けてもよい。
【００８０】
また、上記第１および第２実施形態では、遠心式の羽根車をポンプ本体に用いた例を示したが、本発明はこれに限らない。本発明では、軸流式や、斜流式などの遠心式以外の羽根車をポンプ本体に用いてもよい。
【符号の説明】
【００８１】
１  フロート
２  接続部
３、２０３  吸入管
３ａ、３０３ａ  浮遊物吸入口
４  ポンプ本体
４ａ  ポンプ吸入口
４ｂ、４０４ｂ  ポンプ吐出口
１０  外周面
１１  液面レベル調整部
４０  ポンプ本体のフロート側の面
１００、２００、３００、４００  浮遊物除去装置
α  中心軸線
【図１】
2019025407.tif 000003
【図２】
2019025407.tif 000004
【図３】
2019025407.tif 000005
【図４】
2019025407.tif 000006
【図５】
2019025407.tif 000007
【図６】
2019025407.tif 000008
【図７】
2019025407.tif 000009